(57)【要約】      （修正有）【課題】複数の視野を備えるとともに随時視野を変更することができる頭部装着型拡大鏡の視野変更構造を提供する。【解決手段】主な構造は、装着部品１と、支柱ユニット２と、第１枢接部２３と、拡大鏡本体３と、第１プリズム本体４と、第２プリズム本体５とからなり、支柱ユニット２は、装着部品１に接設されるとともに、第１枢接部２３は、支柱ユニット２に形成され、拡大鏡本体３と第１枢接部２３は、互いに枢設され、各第１プリズム本体４は、支柱ユニット２に設けられ、第２プリズム本体５は、第１プリズム本体４の一側に設けられる。さらに、第１プリズム本体４における拡大鏡本体３に対応する位置には、第１接眼面４１が形成され、第２プリズム本体５における拡大鏡本体３からずれた位置には、第２接眼面５１が形成される。【選択図】図３
0003219575.tif 000002
【実用新案登録請求の範囲】
【請求項１】
主に、装着部品と、支柱ユニットと、第１枢接部と、拡大鏡本体と、複数の第１プリズム本体と、複数の第２プリズム本体と、からなる頭部装着型拡大鏡の視野変更構造であって、
前記装着部品は、使用者が頭部に装着するためのものであり
前記支柱ユニットは、前記装着部品に接設され、
前記第１枢接部は、前記支柱ユニットに形成され、
前記拡大鏡本体は、使用者の眼部に隣接させて見るためのものであるとともに、使用者が反転させることができるように前記第１枢接部と互いに枢設され、
前記複数の第１プリズム本体は、前記支柱ユニット上にそれぞれ設けられるとともに、前記拡大鏡本体における前記装着部品から離れた側に位置し、且つ、前記複数の第１プリズム本体には、前記拡大鏡本体と組み合わされ対応して設けられる第１接眼面が形成され、
前記複数の第２プリズム本体は、前記第１プリズム本体の一側にそれぞれ設けられるとともに、前記複数の第２プリズム本体には、前記拡大鏡本体からずれて設けられる第２接眼面が形成されることを特徴とする、頭部装着型拡大鏡の視野変更構造。
【請求項２】
前記装着部品は、装着部品枢接部と、前記装着部品枢接部と互いに枢設された位置決め部品を備えることを特徴とする、請求項１に記載の頭部装着型拡大鏡の視野変更構造。
【請求項３】
前記支柱ユニットは、第１支柱体と、前記第１支柱体に接設される第２支柱体を備えるとともに、前記第１支柱体は、前記位置決め部品と互いに固設される固定部を備え、前記第２支柱体は、前記第１枢接部及び前記第１プリズム本体を備えることを特徴とする、請求項２に記載の頭部装着型拡大鏡の視野変更構造。
【請求項４】
前記第２支柱体の両側は、保持部品が可動に設けられる穿孔をそれぞれ備えることを特徴とする、請求項３に記載の頭部装着型拡大鏡の視野変更構造。
【請求項５】
前記拡大鏡本体は、拡大鏡筺体と、前記拡大鏡筺体上に可動に設けられる複数の伸縮部品と、前記伸縮部品の両端にそれぞれ設けられる複数の拡大鏡体を備えるとともに、前記拡大鏡筺体の一側は、前記第１枢接部を枢接させる第２枢接部を備えることを特徴とする、請求項１に記載の頭部装着型拡大鏡の視野変更構造。
【請求項６】
前記拡大鏡体の一側には、自由に連結されるまたは取り外されるピント面が設けられることを特徴とする、請求項５に記載の頭部装着型拡大鏡の視野変更構造。
【請求項７】
前記第１プリズム本体の底辺と短辺の夾角は、９０度から１２０度であり、底辺と斜辺の夾角は、２０度から３２度であり、短辺と斜辺の夾角は、４５度から６５度であり、さらに、前記第２プリズム本体の底辺と短辺の夾角は、９０度から１２０度であり、底辺と斜辺の夾角は、２０度から３２度であり、短辺と斜辺の夾角は、４５度から６５度であることを特徴とする、請求項１に記載の頭部装着型拡大鏡の視野変更構造。
【請求項８】
前記第１プリズム本体の底辺側には、第１反射層が設けられ、前記第１プリズム本体の斜辺には、第２反射層が設けられるとともに、前記第２反射層と前記第２プリズム本体の間には、ゴム体が設けられることで、前記第１プリズム本体と前記第２プリズム本体は、互いに固設されることを特徴とする、請求項７に記載の頭部装着型拡大鏡の視野変更構造。
【請求項９】
前記第２支柱体の底部には、第３支柱体が設けられ、前記第３支柱体における前記第２支柱体から離れた側には、第４支柱体が設けられ、前記第４支柱体は、各前記第２プリズム本体と互いに結合されることを特徴とする、請求項３に記載の頭部装着型拡大鏡の視野変更構造。
【考案の詳細な説明】
【技術分野】
【０００１】
本考案は頭部装着型拡大鏡の視野変更構造に関し、拡大鏡本体を反転させることができることで視野を変更させるだけでなく、さらに、拡大鏡本体の使用時に、同時に第２プリズム本体により別の視野を見ることができることで、複数の視野を備えるとともに随時視野を変更することができる頭部装着型拡大鏡の視野変更構造に関する。
【背景技術】
【０００２】
台湾特許第Ｍ５５７８３１号「頭部装着型拡大鏡裝置」の主な構造は、頭部固定裝置と、使用者の眼部の一側に隣接されるとともに所定の間隔を備える少なくとも１つのプリズム本体と、前記プリズム本体のプリズム接物面の一側に設けられる拡大鏡本体と、からなる。前記プリズム本体は、使用者の視線方向を変えプリズム視野を生じさせ、拡大鏡本体は、目標物の影像の大きさを拡大することで前記プリズム視野内に拡大視野を生じさせる。これにより、使用者は頭を下げていない状態で、視線下方の物体を見ることができるとともに、使用者は、拡大鏡本体によってプリズム視野の中から拡大鏡本体より見られる視野を同時に見ることができ、装着使用時の便利性を向上させ、視線移動によるめまい感を防止する。
【０００３】
しかしながら、上述の頭部装着型拡大鏡裝置は、使用者が下を向かずに下方視野を見ることはできるが、使用者の視線は、まずプリズム本体に入った後、拡大鏡本体に入る、つまり、拡大鏡本体の設置位置は、使用者から比較的離れているため、視野を見る際に、拡大視野は目標を拡大するが、使用者が見る視線上において目標物は全体的に比較的小さく、使用者にとって比較的見辛いため、長期的に見ると目の疲労を引き起こしてしまう。
【先行技術文献】
【特許文献】
【０００４】
【特許文献１】台湾特許第Ｍ５５７８３１号明細書
【考案の概要】
【考案が解決しようとする課題】
【０００５】
本考案は、主に、第１枢接部によって拡大鏡本体を反転させることができることで、使用者が第１接眼面を直視して第１プリズム本体によってプリズム視野を見るか、拡大鏡本体によって見るかを選択することができるだけでなく、拡大鏡本体使用時に、同時に視野を移動させて第２プリズム本体の第２接眼面を直視するようにし、別のプリズム視野を見ることで、自由に視野を変更することができるという長所を備える頭部装着型拡大鏡の視野変更構造を提供することを目的とする。
【０００６】
本考案は、主に、拡大鏡本体と第１プリズム本体の位置関係によって、使用者が拡大鏡本体内の拡大視野を見る際にさらにはっきりと見えるようにすることができる、つまり、拡大鏡本体が従来の技術に比べ使用者の眼部にさらに近いため、視野面積がさらに拡大され、視野を拡大することで使用者がさらにはっきりと見ることができるようにする頭部装着型拡大鏡の視野変更構造を提供することを目的とする。
【課題を解決するための手段】
【０００７】
上述の目的を達成するため、本考案の主な構造は、使用者が頭部に装着するための装着部品と、その装着部品に接設される支柱ユニットと、支柱ユニットに形成される第１枢接部と、第１枢接部に枢設され使用者の眼部に隣接させて見るための拡大鏡本体と、からなり、さらに、支柱ユニットには、前記拡大鏡本体における前記装着部品から離れた側に位置する複数の第１プリズム本体がそれぞれ設けられ、その第１プリズム本体には、前記拡大鏡本体と組み合わされ対応して設けられる第１接眼面が形成され、さらに、各第１プリズム本体の一側には、第２プリズム本体がそれぞれ設けられ、この第２プリズム本体には、前記拡大鏡本体からずれて設けられる第２接眼面が形成される。
【０００８】
使用者が本考案の頭部装着型拡大鏡を使用したい場合、まず装着部品によってそれを頭部に装着することができ、さらに必要に応じて拡大鏡本体を使用するかどうかを選択し、仮に使用しない場合、第１枢接部によってそれを上に反転させることができ、視野が第１接眼面または第２接眼面を直視することで、頭を下げずに、患者の顔またはその他の部位をはっきりと見ることができ、拡大鏡本体を使用する場合、第１枢接部によって拡大鏡本体を下に反転させることができ、第１接眼面が拡大鏡本体に対応して１つの拡大視野を形成することで、使用者は、拡大視野を利用して患者の拡大された部位を見ることができると同時に、眼部の余光を利用するまたは眼部を直接移動させて第２接眼面を見ることで、第２プリズム本体によって第１プリズム本体よりさらに広い視野で観察することができるとともに、拡大鏡本体がさらに使用者の眼部に近づくことで、拡大視野により使用者は、さらにはっきりと見ることができる。
【考案の効果】
【０００９】
上述の技術により、従来技術に存在する、使用者は頭を下げずに下方視野を見ることはできるが、使用者の視線がまずプリズム本体に入った後、拡大鏡本体に入る、つまり、拡大鏡本体の設置位置は、使用者から比較的離れているため、視野を見る際に、拡大視野が目標を拡大するが、使用者が見る視線上の目標物は全体的に比較的小さく、使用者にとって比較的見辛いため、全体的に非常に不便であるという問題を解決し、本考案の上述の長所における実用進歩性を達成することができる。
【図面の簡単な説明】
【００１０】
【図１】比較的好ましい実施例の斜視図である。
【図２】比較的好ましい実施例の側面図である。
【図３】比較的好ましい実施例の分解図である。
【図４】比較的好ましい実施例における拡大鏡本体の使用を示した図である。
【図５】比較的好ましい実施例における第２プリズム本体の使用を示した図である。
【図５Ａ】比較的好ましい実施例の総合視野図である。
【図６】比較的好ましい実施例における拡大鏡本体の反転を示した図である。
【図６Ａ】比較的好ましい実施例のプリズム視野図である。
【図７】比較的好ましい実施例における位置決め部品の調整を示した図１である。
【図７Ａ】比較的好ましい実施例における位置決め部品の調整を示した図２である。
【図８】比較的好ましい実施例における伸縮部品の調整を示した図である。
【図９】比較的好ましい実施例のおける保持部品の調整を示した図である。
【図１０】比較的好ましい実施例におけるピント面の使用を示した図である。
【図１１】別の比較的好ましい実施例の実施図である。
【図１２】さらに別の比較的好ましい実施例の斜視図である。
【図１３】さらに別の比較的好ましい実施例の分解図である。
【考案を実施するための形態】
【００１１】
参照する図１から図３に示す通り、本考案は、装着部品１と、支柱ユニット２と、拡大鏡本体３と、複数の第１プリズム本体４と、複数の第２プリズム本体５と、からなる。
【００１２】
装着部品１は、使用者が頭部に装着するためのものである。
【００１３】
支柱ユニット２は、前記装着部品１に接設され、支柱ユニット２は、第１支柱体２１と、前記第１支柱体２１に接設される第２支柱体２２を備えるとともに、前記第２支柱体２２は、下記の第１枢接部２３及び下記の第１プリズム本体を備える。
【００１４】
第１枢接部２３は、前記支柱ユニット２に形成される。
【００１５】
使用者の眼部に接近させて見るための拡大鏡本体３は、前記第１枢接部２３と互いに枢設されることで、使用者が簡単に反転することができるとともに、前記拡大鏡本体３は、拡大鏡筺体３１と、前記拡大鏡筺体３１上に可動に設けられる複数の伸縮部品３２と、前記伸縮部品３２の両端にそれぞれ設けられる複数の拡大鏡体３３を備えるとともに、前記拡大鏡筺体３１の一側は、前記第１枢接部２３を枢設させる第２枢接部３４を備える。
【００１６】
複数の第１プリズム本体４は、前記支柱ユニット２にそれぞれ設けられるとともに、前記拡大鏡本体３における前記装着部品１から離れた側に位置し、複数の第１プリズム本体４には、前記拡大鏡本体３に組み合わされ、且つ、前記拡大鏡本体３に対応して設けられた第１接眼面４１が形成される。
【００１７】
複数の第２プリズム本体５は、前記第１プリズム本体４の一側にそれぞれ設けられ、複数の第２プリズム本体５には、前記拡大鏡本体３からはずれて設けられる第２接眼面５１が形成されるとともに、第１プリズム本体４及び前記第２プリズム本体５の接設方式は、接着して固定するまたは引掛けて固定するのどちらかである。
【００１８】
さらに、その第１プリズム本体４の底辺４ｂと短辺４ａの夾角は、９０度から１２０度であり、底辺４ｂと斜辺４ｃの夾角は、２０度から３２度であり、短辺４ａと斜辺４ｃの夾角は、４５度から６５度である。さらに、第２プリズム本体５の底辺５ｂと短辺５ａの夾角は、９０度から１２０度であり、底辺５ｂと斜辺５ｃの夾角は、２０度から３２度であり、短辺５ａと斜辺５ｃの夾角は、４５度から６５度である。上述の寸法及び角度は、制限を設けるものではなく、その他の寸法及び角度もすべて本考案の保護範囲内に含まれるものとする。
【００１９】
端的に言えば、上述の角度は、最も好ましい実行可能な各種方法の実施例に過ぎず、これにより本考案の角度が制限されることはない。
【００２０】
同時に組み合わせて参照する図１から図６Ａに示す通り、装着部品１によって使用者は頭部に装着することができ、使用しやすいとともに、使用者は、拡大鏡本体３によって患者の観察したい部位を拡大することができる、簡単に言えば、図４に参照する通り、使用者の視野経路Ａは、まず拡大鏡本体３を通り、さらに第１接眼面４１及び第１プリズム本体４を順に通ることで、図５Ａに示す１つの拡大視野Ａ１を取得することができる。同様に、図４に参照する通り、拡大鏡本体３を使用する場合も、眼部を動かすことで視野を下に移動できることで、視野経路Ｂは、第２プリズム本体５上の第２接眼面５１を直接見ることができ、患者の拡大された部位以外の部位を観察することができる、つまり、例えば、患者の眼部といった図５Ａに示す１つの広角視野Ｂ１が取得される。さらに同時に参照する図５Ａから分かる通り、使用者の一人称視点から見ると、視野経路Ａの拡大視野Ａ１及び視野経路Ｂの広角視野Ｂ１を同時に見ることができる。さらに、使用者が拡大鏡本体３を使用しない場合、第１枢接部２３と第２枢接部３４を枢動する技術により、拡大鏡筺体３１または拡大鏡体３３を把持し、力を加えて拡大鏡本体３を反転させることで、反転機能（図６に図示）が達成される。さらに、同時に図６Ａに参照する通り、拡大鏡本体３を反転させた後、使用者が見る視角は、図６Ａに示す通り、広角視野Ｂ１及び第１プリズム本体４のプリズム視野Ｃ１を同時に見ることができる。
【００２１】
参照する図２、図３、図７、及び、図７Ａ図に示す通り、前記装着部品１は、装着部品枢接部１１と、前記装着部品枢接部１１と互いに枢設された位置決め部品１２を備えるとともに、第１支柱体２１には、前記位置決め部品１２と互いに固設されることのできる固定部２１１が備えられることで、第１支柱体２１の角度を使用者の眼部に対応する角度に使用者が調整且つ変更したい場合、装着部品枢接部１１と位置決め部品１２の角度を調整することで達成することができる（図７に図示）。拡大鏡本体３の高さを使用者の眼部に対応する高さに調整したい場合、まず、位置決め部品１２を緩めるが、この時、位置決め部品１２内の軸体を固定部２１１上でスライドさせることができ（本実施例において固定部２１１は長孔である）、希望の位置にまで調整すると、さらに、位置決め部品１２を固定して第１支柱体２１の表面部を締めることで、位置決め効果が達成されるとともに、複数の軸で複数の角度に調整することができるという長所を備える。
【００２２】
参照する図２、図３、及び、図８に示す通り、使用者が２つの拡大鏡体３３の間の間隔を調整したい場合、伸縮部品３２によって２つの拡大鏡体３３を外側に伸ばすまたは内側に縮めることで、使用者の瞳孔の間隔に適した位置に調整することができ、そのうち、伸縮部品３２と拡大鏡筺体３１の間の関係は、スライドレールの設計であり、伸縮部品３２を拡大鏡筺体３１内のレール上でスライドさせることができることで、調整する機能が達成され、人体工学にさらに適合する。
【００２３】
参照する図２、図３、及び、図９に示す通り、第２支柱体２２の両側は、保持部品６が可動に設けられる穿孔２２１をそれぞれ備え、使用者が保持部品６によって本考案全体の重量を支えようとする場合、保持部品６を緩めることができ、この時、保持部品６は、保持部品６の一端が使用者の眼鏡に当たるまで穿孔２２１上でスライドさせ、さらに、それをしっかりと固定する。この時、使用者は、保持部品６によって支えることで１つのヒンジを形成することができ、これにより、本考案の実施時に重量が重すぎて下に垂れることはない。
【００２４】
参照する図２、図３、及び、図１０に示す通り、拡大鏡体３３の一側には、自由に連結することができるまたは取り外すことのできるピント面７が設けられる。つまり、使用者が購入した１つの拡大鏡本体３の焦点距離が自分のニーズに合わない場合、拡大鏡体３３の一側にピント面７を取り付けることができ、このピント面７によって元々の拡大鏡体３３の焦点距離を変えることができることで、使用者は、焦点距離の合わない拡大鏡体３３を買ってしまった場合にも、さらにピント面７を購入することで、自分のニーズに合った焦点距離に調整し組み合わせることができる。重要な点として、ピント面７は、複数の異なる焦点距離を備えることができ、使用者は、購入時にその場で自分の焦点距離にあったものを選択することができる。このように、拡大鏡体３３の焦点距離が合わない場合にも、高額な費用を払って再度購入する必要がないため、コストを節減できるという長所を備える。
【００２５】
参照する図１１に示す通り、第１プリズム本体４Ａの底辺側には、第１反射層４２Ａが設けられ、第１プリズム本体４Ａの斜辺には、第２反射層４３Ａが設けられるとともに、第２反射層４３Ａと第２プリズム本体５Ａの間には、ゴム体８Ａが設けられることで、第１プリズム本体４Ａと前記第２プリズム本体５Ａは、互いに固定される。このことから分かる通り、本考案は、ゴム体８Ａで接着する技術により、第１プリズム本体４Ａと第２プリズム本体５Ａを互いに結合させることができるとともに、第１反射層４２Ａ及び第２反射層４３Ａの設計により、使用者は、視野を見る際、反射により肉眼で第１プリズム本体４Ａと第２プリズム本体５Ａの視線経路を通ることで、さらにはっきりと見ることができる。本実施例における第１反射層４２Ａ及び第２反射層４３Ａは、一例として、不透光性のコーティングである。
【００２６】
参照する図１２及び図１３に示す通り、上述の実施例と異なる点として、第２支柱体２２Ｂの底部には、第３支柱体２４Ｂがさらに追加されて設けられ、前記第３支柱体２４Ｂにおける前記第２支柱体２２Ｂから離れた側には、第４支柱体２５Ｂが設けられ、前記第４支柱体２５Ｂは、各前記第２プリズム本体５Ｂと互いに結合され、さらに、第３支柱体２４Ｂと第２支柱体２２Ｂ、及び第３支柱体２４Ｂと第４支柱体２５Ｂの結合方法は、接着または固定であることができ、このように、第３支柱体２４Ｂ及び第４支柱体２５Ｂによって、第２プリズム本体５Ｂを第１プリズム本体４Ｂの一側にしっかりと設けることができることで、使用者が本考案を使用しやすくすることができる。
【００２７】
従って、本考案は、以下に挙げる長所を備える。
【００２８】
１、第１枢接部２３によって拡大鏡本体３を反転させることができることで、使用者は、第１接眼面４１を直視して第１プリズム本体４によって広角視野Ｂ１を見るか、または、拡大鏡本体３によって見るかを選択することができ、さらに、拡大鏡本体３を使用する場合、同時に視野を移動させて第２プリズム本体５の第２接眼面５１を直視することで、別の広角視野を見ることができ、複数の視野を自由に変更することができるという長所を備えることができる。
【００２９】
２、拡大鏡本体３と第１プリズム本体４の位置関係によって、使用者が拡大鏡本体３内の拡大視野Ａ１を見る際にさらにはっきりと見えるようにすることができる、つまり、拡大鏡本体３は、従来の技術に比べ使用者の眼部にさらに近いため、拡大視野Ａ１の面積がさらに拡大され、使用者はさらにはっきりと見ることができる。
【符号の説明】
【００３０】
１      装着部品
１１    装着部品枢接部
１２    位置決め部品
２      支柱ユニット
２１    第１支柱体
２１１  固定部
２２、２２Ｂ  第２支柱体
２２１  穿孔
２３    第１枢接部
２４Ｂ  第３支柱体
２５Ｂ  第４支柱体
３      拡大鏡本体
３１    拡大鏡筺体
３２    伸縮部品
３３    拡大鏡体
３４    第２枢接部
４、４Ａ、４Ｂ  第１プリズム本体
４ａ    短辺
４ｂ    底辺
４ｃ    斜辺
４１    第１接眼面
４２Ａ  第１反射層
４３Ａ  第２反射層
５、５Ａ、５Ｂ  第２プリズム本体
５ａ    短辺
５ｂ    底辺
５ｃ    斜辺
５１    第２接眼面
６      保持部品
７      ピント面
８Ａ    ゴム体
Ａ      視野経路
Ａ１    拡大視野
Ｂ      視野経路
Ｂ１    広角視野
Ｃ１    プリズム視野
【図１】
0003219575.tif 000003
【図２】
0003219575.tif 000004
【図３】
0003219575.tif 000005
【図４】
0003219575.tif 000006
【図５】
0003219575.tif 000007
【図５Ａ】
0003219575.tif 000008
【図６】
0003219575.tif 000009
【図６Ａ】
0003219575.tif 000010
【図７】
0003219575.tif 000011
【図７Ａ】
0003219575.tif 000012
【図８】
0003219575.tif 000013
【図９】
0003219575.tif 000014
【図１０】
0003219575.tif 000015
【図１１】
0003219575.tif 000016
【図１２】
0003219575.tif 000017
【図１３】
0003219575.tif 000018